(57)【特許請求の範囲】
【請求項１】
スライドファスナーであって、当該スライドファスナーは、
第１列のスライドエレメント（１０１）と、
第２列のスライドエレメント（１０１）と、
第１テープ（２０１）の第１端部に前記第１列のスライドエレメント（１０１）を取り付けた前記第１テープ（２０１）と、
第２テープ（２０１）の第１端部に前記第２列のスライドエレメント（１０１）を取り付けた前記第２テープ（２０１）と、を備え、
前記第１列のスライドエレメント（１０１）は、前記第２列のスライドエレメント（１０１）と係合する構成となっており、
前記第１列及び前記第２列のスライドエレメント（１０１）のそれぞれは、基部（１０２）と、頭部（１０３）と、前記基部（１０２）と前記頭部（１０３）との間に延びる首部（１０４）と、上面（１１０）と、対向面（１２０）と、２つの肩部（１０５）と、を有し、
前記首部（１０４）は、前記頭部（１０３）が前記基部（１０２）の最下面（ｂ）の下方かつ前方に配置されるように、前記基部（１０２）の最下面（ｂ）から延びるとともに、前記第１列及び前記第２列のスライドエレメント（１０１）と平行である縦方向において、前記頭部（１０３）及び前記基部（１０２）に対して幅狭に形成され、
前記２つの肩部（１０５）は、前記基部（１０２）の最下面（ｂ）を含み、
前記基部（１０２）のそれぞれは、前記第１テープ（２０１）又は前記第２テープ（２０１）を取り付けるための貫通孔（１０８）を有し、
前記基部（１０２）のそれぞれは、前記貫通孔（１０８）の上側に配置される上部分と、前記貫通孔（１０８）の下側に配置される下部分と、を有し、前記上部分と前記下部分はその後側において一体的に接続され、
前記第１テープ（２０１）は、前記第１列のスライドエレメント（１０１）の前記対向面（１２０）と前記上面（１１０）をカバーする構成となっており、
前記第２テープ（２０１）は、前記第２列のスライドエレメント（１０１）の前記対向面（１２０）と前記上面（１１０）をカバーする構成となっており、
前記頭部（１０３）の最下面（ａ）と前記第１テープ（２０１）の第１端部との間の第１垂直距離（Ｄ１）は、前記基部（１０２）の最下面（ｂ）と前記第１テープ（２０１）の第１端部との間の第２垂直距離（Ｄ２）よりも大きいことを特徴とするスライドファスナー。
【請求項２】
前記第１テープ及び前記第２テープ（２０１）のそれぞれは、それぞれの第１端部にコード（２０２）を有し、
前記貫通孔（１０８）のそれぞれは、前記コード（２０２）に対応する拡大部分（１０９）を有することを特徴とする請求項１に記載のスライドファスナー。
【請求項３】
前記第１列及び前記第２列のスライドエレメント（１０１）のそれぞれは、
前記頭部（１０３）の前記最下面（ａ）は、前記基部（１０２）の前記最下面（ｂ）を含む第２面から前記スライドエレメント（１０１）の底部（４０４）の方向にオフセットされている第１面の内部に含まれており、
前記頭部（１０３）の最前面（ｆ）は、前記基部（１０２）の前記対向面（１２０）を含む第４面から前記スライドエレメント（１０１）の前部（４０１）の方向にオフセットされている第３面の内部に含まれており、
前記対向面（１２０）は、前記基部（１０２）の最前面であることを特徴とする請求項２に記載のスライドファスナー。
【請求項４】
前記頭部（１０３）は、２つの突起部（１０３ａ，１０３ｂ）を有し、
前記頭部（１０３）の２つの突起部（１０３ａ，１０３ｂ）のそれぞれの大部分は、（ｉ）前記基部（１０２）の下方と（ｉｉ）前記基部（１０２）の前方の両方に配置されていることを特徴とする請求項１に記載のスライドファスナー。
【請求項５】
前記第１列のスライドエレメント（１０１）の前記頭部（１０３）は、第１突起部（１０３ａ）と第２突起部（１０３ｂ）を有し、
前記第１突起部（１０３ａ）と前記第２突起部（１０３ｂ）は、前記第１列及び前記第２列のスライドエレメント（１０１）と平行である縦方向に沿って反対方向に延びており、
前記第１突起部（１０３ａ）は、前記第２列のスライドエレメント（１０１）のうちの１つのスライドエレメントの第１肩部（１０５）と接触するように構成され、
前記第２突起部（１０３ｂ）は、前記第２列のスライドエレメント（１０１）のうちの前記１つのスライドエレメントと隣接するスライドエレメントの第２肩部（１０５）と接触するように構成されることを特徴とする請求項１に記載のスライドファスナー。
【請求項６】
前記第１突起部（１０３ａ）は、前記第１肩部（１０５）と接触する構成の上面（１０３ａ−１）を有し、
前記第２突起部（１０３ｂ）は、前記第２肩部（１０５）と接触する構成の上面（１０３ｂ−１）を有することを特徴とする請求項５に記載のスライドファスナー。
【請求項７】
前記第１垂直距離（Ｄ１）は、前記第２垂直距離（Ｄ２）の２倍であることを特徴とする請求項１に記載のスライドファスナー。
【請求項８】
スライドファスナーであって、当該スライドファスナーは、
縦方向に沿って延びる第１列のスライドエレメント（１０１）と、
前記第１列のスライドエレメント（１０１）に対して平行に延びる第２列のスライドエレメント（１０１）と、
前記第１列のスライドエレメント（１０１）のそれぞれの貫通孔（１０８）に配置される第１端部を有する第１テープ（２０１）と、
前記第２列のスライドエレメント（１０１）のそれぞれの貫通孔（１０８）に配置される第１端部を有する第２テープ（２０１）と、を備え、
前記第１列及び前記第２列のスライドエレメント（１０１）は、互いに係合する構成となっており、
前記第１列及び前記第２列のスライドエレメント（１０１）のそれぞれは、基部（１０２）と、頭部（１０３）と、前記基部（１０２）と前記頭部（１０３）との間に延びる首部（１０４）と、上面（１１０）と、対向面（１２０）と、２つの肩部（１０５）と、を有し、
前記首部（１０４）は、前記頭部（１０３）が前記基部（１０２）の最下面（ｂ）の下方かつ前方に配置されるように、前記基部（１０２）の最下面（ｂ）から延びるとともに、前記第１列及び前記第２列のスライドエレメント（１０１）と平行である縦方向において、前記頭部（１０３）及び前記基部（１０２）に対して幅狭に形成され、
前記２つの肩部（１０５）は、前記基部（１０２）の最下面（ｂ）を含み、
前記基部（１０２）のそれぞれは、前記貫通孔（１０８）の上側に配置される上部分と、前記貫通孔（１０８）の下側に配置される下部分と、を有し、前記上部分と前記下部分はその後側において一体的に接続され、
前記第１列及び前記第２列のスライドエレメント（１０１）は、前記第１列のスライドエレメント（１０１）の前記対向面（１２０）と前記第２列のスライドエレメント（１０１）の前記対向面（１２０）とが互いに対向するように配置されており、
前記第１テープ（２０１）は、前記第１列のスライドエレメント（１０１）の前記対向面（１２０）と前記上面（１１０）をカバーする構成となっており、
前記第２テープ（２０１）は、前記第２列のスライドエレメント（１０１）の前記対向面（１２０）と前記上面（１１０）をカバーする構成となっており、
前記第１テープ及び前記第２テープ（２０１）は、前記第１列及び前記第２列のスライドエレメント（１０１）が互いに係合した時に、前記第１列及び前記第２列のスライドエレメント（１０１）の間に押し込められることになり、
前記スライドエレメント（１０１）のそれぞれの前記頭部（１０３）の最下面（ａ）は、前記基部（１０２）の最下面（ｂ）を含む第２面から前記スライドエレメント（１０１）の底部（４０４）の方向にオフセットされている第１面の内部に含まれており、
前記スライドエレメント（１０１）のそれぞれの前記頭部（１０３）の最前面（ｆ）は、前記基部（１０２）の前記対向面（１２０）を含む第４面から前記スライドエレメント（１０１）の前部（４０１）の方向にオフセットされている第３面の内部に含まれており、
前記対向面（１２０）は、前記基部（１０２）の最前面であることを特徴とするスライドファスナー。
【請求項９】
前記第１テープ及び前記第２テープ（２０１）のそれぞれは、それぞれの第１端部にコード（２０２）を有し、
前記貫通孔（１０８）のそれぞれは、前記コード（２０２）に対応する拡大部分（１０９）を有することを特徴とする請求項８に記載のスライドファスナー。
【請求項１０】
前記頭部（１０３）の前記最下面（ａ）と前記第１テープ（２０１）の第１端部との間の第１垂直距離（Ｄ１）は、前記基部（１０２）の前記最下面（ｂ）と前記第１テープ（２０１）の第１端部との間の第２垂直距離（Ｄ２）よりも大きいことを特徴とする請求項９に記載のスライドファスナー。
【請求項１１】
前記頭部（１０３）は、２つの突起部（１０３ａ，１０３ｂ）を有し、
前記頭部（１０３）の２つの突起部（１０３ａ，１０３ｂ）のそれぞれの大部分は、（ｉ）前記基部（１０２）の下方と（ｉｉ）前記基部（１０２）の前方の両方に配置されていることを特徴とする請求項８に記載のスライドファスナー。
【請求項１２】
前記第１テープ（２０１）は、前記第１列のスライドエレメント（１０１）の前記対向面（１２０）の近傍に配置された少なくとも１つのシール層（２０３）を有し、
前記第２テープ（２０１）は、前記第２列のスライドエレメント（１０１）の前記対向面（１２０）の近傍に配置された少なくとも１つのシール層（２０３）を有することを特徴とする請求項８に記載のスライドファスナー。
【請求項１３】
前記第１テープ（２０１）の前記少なくとも１つのシール層（２０３）は、前記第１テープ（２０１）の外形に沿っており、（ｉ）前記第１列のスライドエレメント（１０１）の前記対向面（１２０）の近傍にある部分と、（ｉｉ）前記第１列のスライドエレメント（１０１）の前記上面（１１０）の近傍にある部分と、を含み、
前記第２テープ（２０１）の前記少なくとも１つのシール層（２０３）は、前記第２テープ（２０１）の外形に沿っており、（ｉ）前記第２列のスライドエレメント（１０１）の前記対向面（１２０）の近傍にある部分と、（ｉｉ）前記第２列のスライドエレメント（１０１）の前記上面（１１０）の近傍にある部分と、を含むことを特徴とする請求項１２に記載のスライドファスナー。
【請求項１４】
前記第１テープ（２０１）の前記少なくとも１つのシール層（２０３）は、前記第１列のスライドエレメント（１０１）の前記対向面（１２０）の近傍に配置される第１シール層（２０３）と、前記第１テープ（２０１）と前記第１シール層（２０３）との間に配置される第２シール層（２０４）と、を含み、これにより、前記第２シール層（２０４）は、前記第１列のスライドエレメント（１０１）のそれぞれの上面（１１０）の近傍にある部分を含み、
前記第２テープ（２０１）の前記少なくとも１つのシール層（２０３）は、前記第２列のスライドエレメント（１０１）の前記対向面（１２０）の近傍に配置される第３シール層と、前記第２テープ（２０１）と前記第３シール層との間に配置される第４シール層と、を含み、これにより、前記第４シール層は、前記第２列のスライドエレメント（１０１）のそれぞれの上面（１１０）の近傍にある部分を含むことを特徴とする請求項１２に記載のスライドファスナー。
【請求項１５】
前記第２シール層（２０４）が前記スライドエレメント（１０１）と前記第１シール層（２０３）との間に配置されて、前記テープ（２０１）、前記第１シール層（２０３）、及び前記第２シール層（２０４）の３層を含む第１重合領域を形成し、
前記第４シール層が前記スライドエレメント（１０１）と前記第３シール層との間に配置されて、前記テープ（２０１）、前記第３シール層、及び前記第４シール層の３層を含む第２重合領域を形成することを特徴とする請求項１４に記載のスライドファスナー。
【請求項１６】
前記第１列のスライドエレメント（１０１）の前記頭部（１０３）は、第１突起部（１０３ａ）と第２突起部（１０３ｂ）を有し、
前記第１突起部（１０３ａ）と前記第２突起部（１０３ｂ）は、前記第１列及び前記第２列のスライドエレメント（１０１）と平行である縦方向に沿って反対方向に延びており、
前記第１突起部（１０３ａ）は、前記第２列のスライドエレメント（１０１）のうちの１つのスライドエレメントの第１肩部（１０５）と接触するように構成され、
前記第２突起部（１０３ｂ）は、前記第２列のスライドエレメント（１０１）のうちの前記１つのスライドエレメントと隣接するスライドエレメントの第２肩部（１０５）と接触するように構成されることを特徴とする請求項８に記載のスライドファスナー。
【請求項１７】
前記第１突起部（１０３ａ）は、前記第１肩部（１０５）と接触する構成の上面（１０３ａ−１）を有し、
前記第２突起部（１０３ｂ）は、前記第２肩部（１０５）と接触する構成の上面（１０３ｂ−１）を有することを特徴とする請求項１６に記載のスライドファスナー。
【請求項１８】
前記第１垂直距離（Ｄ１）は、前記第２垂直距離（Ｄ２）の２倍であることを特徴とする請求項１０に記載のスライドファスナー。
【請求項１９】
スライドファスナーのスライドエレメント（１０１）であって、当該スライドエレメント（１０１）は、
基部（１０２）と、
前記基部（１０２）の下方及び前方に配置される頭部（１０３）と、
前記基部（１０２）と前記頭部（１０３）との間に延びる首部（１０４）と、を有し、
前記首部（１０４）は、前記頭部（１０３）が前記基部（１０２）の最下面（ｂ）の下方かつ前方に配置されるように、前記基部（１０２）の最下面（ｂ）から延びるとともに、前記スライドエレメント（１０１）の列と平行である縦方向において、前記頭部（１０３）及び前記基部（１０２）に対して幅狭に形成され、
前記基部（１０２）は、スライドファスナーのテープ（２０１）を取り付けるための貫通孔（１０８）を有し、
前記基部（１０２）は、前記貫通孔（１０８）の上側に配置される上部分と、前記貫通孔（１０８）の下側に配置される下部分と、を有し、前記上部分と前記下部分はその後側において一体的に接続され、
前記頭部（１０３）の最下面（ａ）は、前記基部（１０２）の最下面（ｂ）を含む第２面から前記スライドエレメント（１０１）の底部（４０４）の方向にオフセットされている第１面の内部に含まれており、
前記頭部（１０３）の最前面（ｆ）は、前記基部（１０２）の最前面を含む第４面から前記スライドエレメント（１０１）の前部（４０１）の方向にオフセットされている第３面の内部に含まれることを特徴とするスライドファスナーのスライドエレメント（１０１）。
【発明の詳細な説明】
【技術分野】
【０００１】
この発明は、向上した強度及び安定性で互いに係合するエレメントによるコンシールタイプスライドファスナーに関する。
【背景技術】
【０００２】
衣服、バッグ又は他の物品といった２つの布地、テープ又は他の柔軟材料を固定するためにスライドファスナー装置が使用される。スライドファスナーは、スライダーがエレメントと係合するようにスライドファスナーを開閉するためにテープに配置された複数のエレメントを含む。スライダーがテープに沿って移動した時に、テープの対向するエレメントの列は一体に噛合してスライドファスナーを閉じる。スライダーが反対方向に移動すると、スライダーは対向するエレメントの列を分離してスライドファスナーを開く。スライドファスナーが隠されるように、且つ／又はシールをもたらすようになっている用途では、テープは１つ以上のテープの層が対向するエレメントの列の間に配置される構成となり得る。
【発明の概要】
【発明が解決しようとする課題】
【０００３】
特定の状況では、テープでの使用及び操作における安定性及び強度を高めるとともに、エレメントの製造プロセス中の効率を高めるために、エレメントの幾何形状を修正することが望ましい。
【課題を解決するための手段】
【０００４】
この特許において使用される用語「発明」、「該発明」、「この発明」及び「本発明」は、この特許の内容及び以下の特許請求項の全部を幅広く指すように意図している。これらの用語を含んでいる論述は、本書に記載された内容を限定するものではないし、又は以下の特許請求項の意味又は範囲を限定するものでもないと理解しなければならない。この特許によって包含される本発明の異種は、この概要ではなく以下の請求項によって規定される。この概要は本発明の各種態様の高水準の概説であり、以下の詳細な説明部でさらに述べる概念の一部を提示する。この概要は、請求する内容の重要また本質的な特徴を識別するように意図していないし、又は請求する内容の範囲を決定するために分離して使用されるように意図してもいない。内容は、この特許の明細書全体の適切な部分、一部又は全部の図面及び各請求項の参照によって理解しなければならない。
【０００５】
特定の事例によれば、スライドファスナーであって、第１列のスライドエレメントと、第２列のスライドエレメントと、第１テープの第１端部に第１列のスライドエレメントを取り付けた第１テープと、第２テープの第１端部に第２列のスライドエレメントを取り付けた第２テープと、を備え、第１列のスライドエレメントは，第２列のスライドエレメントと係合する構成となっており、第１列及び第２列のスライドエレメントのそれぞれは、基部と、頭部と、基部と頭部との間に延びる首部と、上面と、対向面と、２つの肩部と、を有し、首部は、頭部が基部の最下面の下方かつ前方に配置されるように、基部の最下面から延びるとともに、第１列及び第２列のスライドエレメントと平行である縦方向において、頭部及び基部に対して幅狭に形成され、２つの肩部は、基部の最下面を含み、基部のそれぞれは、第１テープ又は第２テープを取り付けるための貫通孔を有し、基部のそれぞれは、貫通孔の上側に配置される上部分と、貫通孔の下側に配置される下部分と、を有し、上部分と下部分はその後側において一体的に接続され、第１テープは、第１列のスライドエレメントの対向面と上面をカバーする構成となっており、第２テープは、第２列のスライドエレメントの対向面と上面をカバーする構成となっており、頭部の最下面と第１テープの第１端部との間の第１垂直距離は、基部の最下面と第１テープの第１端部との間の第２垂直距離よりも大きい。
【０００６】
特定の事例によれば、スライドファスナーであって、縦方向に沿って延びる第１列のスライドエレメントと、第１列に対して略平行に延びる第２列のスライドエレメントと、第１列のスライドエレメントのそれぞれの貫通孔に配置される第１端部を有する第１テープと、第２列のスライドエレメントのそれぞれの貫通孔に配置される第１端部を有する第２テープと、を備え、第１列及び第２列のスライドエレメントは、互いに係合する構成となっており、第１列及び第２列のスライドエレメントのそれぞれは、基部と、頭部と、基部と頭部との間に延びる首部と、上面と、対向面と、２つの肩部と、を有し、首部は、頭部が基部の最下面の下方かつ前方に配置されるように、基部の最下面から延びるとともに、第１列及び第２列のスライドエレメントと平行である縦方向において、頭部及び基部に対して幅狭に形成され、２つの肩部は、基部の最下面を含み、基部のそれぞれは、貫通孔の上側に配置される上部分と、貫通孔の下側に配置される下部分と、を有し、上部分と下部分はその後側において一体的に接続され、第１列及び第２列のスライドエレメントは、第１列のスライドエレメントの対向面と第２列のスライドエレメントの対向面とが互いに対向するように配置されており、第１テープは、第１列のスライドエレメントの対向面と上面をカバーする構成となっており、第２テープは、第２列のスライドエレメントの対向面と上面をカバーする構成となっており、第１テープ及び第２テープは、第１列及び第２列のスライドエレメントが互いに係合した時に、第１列及び第２列のスライドエレメントの間に押し込められることになり、スライドエレメントのそれぞれの頭部の最下面は、基部の最下面を含む第２面からオフセットされている第１面の内部に含まれており、スライドエレメントのそれぞれの頭部の最前面は、基部の対向面を含む第４面からオフセットされている第３面の内部に含まれており、対向面は、基部の最前面である。
【０００７】
特定の事例によれば、スライドファスナーのスライドエレメントであって、基部と、基部の下方且つ前方に配置される頭部と、基部と頭部との間に延びる首部と、を有し、首部は、頭部が基部の最下面の下方かつ前方に配置されるように、基部の最下面から延びるとともに、スライドエレメントの列と平行である縦方向において、頭部及び基部に対して幅狭に形成され、基部は、スライドファスナーのテープを取り付けるための貫通孔を有し、基部は、貫通孔の上側に配置される上部分と、貫通孔の下側に配置される下部分と、を有し、上部分と下部分はその後側において一体的に接続され、頭部の最下面は、基部の最下面を含む第２面からオフセットされている第１面の内部に含まれており、頭部の最前面は、基部の最前面を含む第４面からオフセットされている第３面の内部に含まれている。
【０００８】
本開示の例証となる実施形態を以下の図面に関して以下に詳述する。
【図面の簡単な説明】
【０００９】
【図１Ａ】特定の態様に従ったスライドファスナーの上面斜視図である。
【図１Ｂ】図１Ａのスライドファスナーの底面斜視図である。
【図２Ａ】図１Ａのスライドファスナーのスライドエレメントの底面斜視図である。
【図２Ｂ】図２Ａのスライドエレメントの上面斜視図である。
【図３Ａ】図１Ａのスライドファスナーの部分斜視図である。
【図３Ｂ】図１Ｂの線３Ｂ−３Ｂに沿って得られる図１Ａのスライドファスナーの断面の斜視図である。
【図４Ａ】図２Ａのスライドファスナーのスライドエレメントの上面図である。
【図４Ｂ】図２Ａのスライドファスナーのスライドエレメントの底面図である。
【図５Ａ】図２Ａのスライドファスナーのスライドエレメントの後端面図である。
【図５Ｂ】図２Ａのスライドファスナーのスライドエレメントの前端面図である。
【図５Ｃ】図２Ａのスライドファスナーのスライドエレメントの側面図である。
【図６】図２Ａのスライドファスナーのスライドエレメントの側面図である。
【図７Ａ】図１Ａのスライドファスナーの端面図である。
【図７Ｂ】図１Ａのスライドファスナーの部分斜視図である。
【図８】図１Ａのテープと係合した図２Ａのスライドファスナーのスライドエレメントの側面図である。
【発明を実施するための形態】
【００１０】
本発明の異種の内容は法定要件を満たすために本書では特定的に説明するが、この説明は必ずしも請求項の範囲を限定するように意図していない。請求する内容は、他のやり方で実施してよいし、異なる要素又はステップを含んでもよく、他の現行又は将来の技術と連係して使用してもよい。この説明は、個々のステップの順序又は要素の配列が明示的に述べられている場合を除き、各種ステップ又は要素間のいかなる特定の順序又は配列も意味していると解釈してはならない。
【００１１】
図１Ａ〜図８は、スライドファスナーの非限定的実施例を図示している。各種図面において異なる参照符号が使用されていても、図面のいずれに関して図示又は説明する特徴のいずれも包含、組合せ、代替又は省略して更なる実施例を提示し得る。
【００１２】
図１Ａ及び図１Ｂは、複数のスライドエレメント１０１及びテープ２０１を含むスライドファスナーの非限定的実施例を図示している。図示のように、第１テープ２０１に取り付けられた第１列のスライドエレメント１０１は、スライドエレメント１０１が上側から見えないように、第２テープ２０１に取り付けられた第２列のスライドエレメント１０１と係合する構成となっている（図１Ａ参照。テープ２０１は透明に示されている）。２列のスライドエレメント１０１は縦方向に配列される。スライドエレメント１０１は、それぞれのスライドエレメント１０１が対向する列の少なくとも１つのスライドエレメント１０１と係合する構成となっている。一部実施例において、スライドエレメント１０１が列の端部間に配置されている場合、そのスライドエレメント１０１は対向する列の２つのスライドエレメント１０１と係合する。
【００１３】
本書に記載したようなスライドファスナーはしばしばテープ２０１によって加えられる外力を受ける。例えば、図７Ａに示したＦＴは、スライドエレメント１０１の１つを旋回又は回転させようとする力を表す。力ＦＴに釣り合わせるために、第１列のスライドエレメント１０１は１つ以上の力を首部１０４を通じて頭部１０３に伝達し、１つ以上の力ＦＳが、頭部１０３とその頭部１０３に対応する第２列のスライドエレメントの１つ以上のスライドエレメント１０１の肩部１０５との間に加えられている。本書に述べたスライドエレメント１０１は、ＦＴといったテープからの力を打ち消すために首部１０４を通じて力を伝達する能力を高める構成の首部１０４を有する。以下でさらに詳述するように、首部１０４は、スライドエレメント１０１の頭部１０３がスライドエレメント１０１の前部４０１の方向に、且つ／又は、スライドエレメント１０１の底部４０４の方向に向いている構成となっている。さらに、首部１０４は、首部１０４の断面積を大きくとる構成となっている。
【００１４】
スライドエレメント１０１の一実施例が図２Ａ〜図２Ｂ及び図４Ａ〜図６に別個に示されている。スライドエレメント１０１は、基部１０２、頭部１０３、首部１０４、上面１１０、対向面１２０、及び１つ以上の肩部１０５を有する。図４Ａ〜図５Ｂに示すように、スライドエレメント１０１は、前部４０１、後部４０２、上部４０３、及び底部４０４を有する。１つ以上の肩部１０５は、図６に示すように基部１０２の最下面ｂを含む。第１列及び第２列のスライドエレメント１０１は、第１列のスライドエレメント１０１の対向面１２０と第２列のスライドエレメント１０１の対向面１２０とが互いに対向するように配置されている。
【００１５】
また、スライドエレメント１０１は、縦方向に延びている突起部１０６（図２Ａ参照）、及び同じ列の隣接するスライドエレメント１０１の突起部１０６と相補的に連結する構成の凹部１０７（図２Ｂ参照）を有していてもよい。対応する突起部１０６と凹部１０７との間の連結は図１Ａにおいてテープ２０１を透かして見ることができる（テープ２０１は透明に示されている）。突起部１０６及び凹部１０７はスライドエレメント１０１の対向面１２０から反対側に配置されている。図５Ｃに示すように、対向面１２０は基部１０２の最前面である。
【００１６】
図２Ａに示すように、頭部１０３は、対向する列の対応するスライドエレメント１０１の頭部１０３の突起部と接触する構成の第１突起部１０３ａ及び第２突起部１０３ｂを有する。第１突起部１０３ａと第２突起部１０３ｂは、第１列及び第２列のスライドエレメント１０１と平行である縦方向に沿って互いに反対方向に延びている。さらに、頭部１０３は、対向する列のスライドエレメントの２つの対応する肩部１０５と接触する（図１Ｂ参照）。詳しくは、第１突起部１０３ａは、第２列の第１スライドエレメントの第１肩部１０５と接触する構成の上面１０３ａ−１（図２Ｂ及び図４Ａ参照）を有し、第２突起部１０３ｂは、第２列の第２スライドエレメントの第２肩部１０５と接触する構成の上面１０３ｂ−１（図４Ａ参照）を有していてもよい。
【００１７】
図３Ａ及び図３Ｂに示すように、一部実施例において、テープ２０１は、スライドエレメント１０１の貫通孔１０８に挿入されるコード２０２を有する。例えば、図６に示すように、貫通孔１０８は、コード２０２の形状に略一致しコード２０２を収容するのに必要な大きさである拡大部分１０９を有し得る。貫通孔１０８は、縦方向と略平行にスライドエレメント１０１の中に延びるとしてよい。一部の例では、拡大部分１０９及びコード２０２は両方とも略円筒形であるが、必ずしもその必要はない。コード２０２はテープ２０１を適位置に取り付けるために固定装置として機能し、これにより、テープ２０１は、図３Ａ及び図３Ｂに示すように、テープ２０１の一部分がスライドエレメント１０１の対向面１２０に押しつけられ、一部分がスライドエレメント１０１の上面１１０をカバーするようにしてスライドエレメント１０１に巻き付いた時にぴんと張って引くことができる。スライドエレメント１０１が対向する列のスライドエレメントと係合した時に、テープ２０１はスライドエレメント１０１が隠れるようにスライドエレメント１０１の対向面１２０と上面１１０に巻き付きカバーする構成となっている。言い換えると、スライドエレメント１０１が係合／固定した時に、テープ２０１の上側から見える唯一の構成要素はテープ２０１及びいずれかのシール層（例えば後述する２０３及び／又は２０４）だけである。また、第１テープ２０１及び第２テープ２０１は、第１列及び第２列のスライドエレメント１０１が互いに係合した時に、第１列及び第２列のスライドエレメント１０１の間に押し込められるようになっている。
【００１８】
図２Ａ及び図２Ｂに戻って、スライドエレメント１０１の頭部１０３は、基部１０２の下方（底部４０４の方向に）且つ基部１０２の前方（前部４０１の方向に）に配置されている。一部実施例において、図５Ｃに示すように、首部１０４の構成に起因して、（２つの突起部１０３ａ及び１０３ｂを含む）頭部１０３は、（ｉ）底部４０４の方向に基部１０２の下方且つ（ｉｉ）前部４０１の方向に基部１０２の前方に配置されている。このようにして、頭部１０３は２つの平面、水平面及び垂直面で基部１０２からオフセットされる。より具体的には、頭部１０３の大部分は、基部１０２（即ち、肩部１０５）の最下面ｂの下方に配置され、頭部１０３の大部分は、基部１０２の対向面１２０の前方に配置されている。図２Ｂに示すように、頭部１０３の最後部は対向面１２０と概ね一致しているとしてよい。図２Ａ、図２Ｂ、及び図６に示すように、頭部１０３の最下面ａは、基部１０２の最下面ｂを含む面からスライドエレメント１０１の底部４０４の方向にオフセットされた面の内部に含まれる。頭部１０３の最前面ｆは、基部１０２の対向面１２０を含む面からスライドエレメント１０１の前部４０１の方向にオフセットされた面の内部に含まれる。ここで、対向面１２０は基部１０２の最前面である。一部の例では、基部１０２は略箱形であるので、複数の側面から見た時に略矩形である。
【００１９】
図６は、（テープ２０１のコード２０２を取り付ける構成となっている）拡大部分１０９の中心線Ｃ、及びスライドエレメント１０１の部分に対するその相対位置を示している。一部実施例において、首部１０４は、中心線Ｃから頭部１０３の最下面ａまでの第１垂直距離Ｄ１が、中心線Ｃから基部１０２（即ち肩部１０５）の最下面ｂまでの第２垂直距離Ｄ２よりも大きくなっている。一部の例では、中心線Ｃから頭部１０３の最下面ａまでの第１垂直距離Ｄ１は、中心線Ｃから基部１０２の最下面ｂまでの第２垂直距離Ｄ２の略２倍であってよい。一部実施例において、第１垂直距離Ｄ１は約２ｍｍ〜約４ｍｍであってよい。一部実施例において、第１垂直距離Ｄ１は約２．５ｍｍ〜約３ｍｍであってよい。一部実施例において、第１垂直距離Ｄ１は約２．７ｍｍである。一部実施例において、第２垂直距離Ｄ２は約０．５ｍｍ〜約２．５ｍｍであってよい。一部実施例において、第２垂直距離Ｄ２は約１ｍｍ〜約２ｍｍであってよい。一部実施例において、第２垂直距離Ｄ２は約１．４ｍｍである。
【００２０】
首部１０４の断面積は、首部１０４の幅Ｙと首部１０４の長さＸによって規定される（図５Ｂ及び図６参照）。長さＸは、首部１０４の上部表面１１９と首部１０４の下部表面１１８との間の距離である（図６の寸法Ｘ参照）。長さＸ及び幅Ｙによって規定される首部１０４の断面積を大きくとることで、テープ２０１と頭部１０３との間で力を伝達する高い強度能力をもたらすが、その実施例は後段で説明する。
【００２１】
上述のように、テープ２０１への水平力の一実施例が図７Ａにおいてテープ力ＦＴとして示されている。図７Ａは、左側のスライドエレメント１０１に加えられた力の一部を示している。（図７Ａに示した端面図で見た時に）テープ力ＦＴは、スライドエレメント１０１を（図７Ａの表面に垂直な軸について）反時計回りの方向に回転させようとし、釣り合いをとらなければスライドエレメント１０１の損傷又は故障を生じ得る。一部実施例において、上述のような首部１０４の構成は、テープ力ＦＴの少なくとも一部を相殺する１つ以上の肩部力ＦＳをもたらす。スライドエレメント１０１の頭部１０３が２つの突起部１０３ａ及び１０３ｂ（それぞれ上面１０３ａ−１及び１０３ｂ−１を備える）を有する場合、２つの略等しい肩部力ＦＳが存在する（図７Ａに突起部１０３ｂに関する肩部力ＦＳを示す）。２つの肩部力ＦＳは、スライドエレメント１０１のそれぞれの突起部１０３ａ、１０３ｂと、対向する列のスライドエレメントの対応する肩部１０５と、の境界面で生じる。
【００２２】
一部実施例において、図３Ａに示すように、テープ２０１はシール層２０３を有する。一部の例では、シール層２０３は樹脂層である。スライドエレメントが係合／固定した時に、第１テープのシール層２０３は対向する列のスライドエレメント１０１に関係する第２テープの別のシール層２０３に押しつけられ得る（図３Ｂ及び図７Ａ参照）。押しつけられ合った２つのシール層２０３によって形成されるシールは、水密及び／又は気密シールを形成し得る。図７Ａに示すように、一部実施例において、シール層２０３の高さはスライドエレメント１０１の対向面１２０の高さＨと略一致し、それによりシール層２０３は対向面１２０をほとんどカバーする。一部の例では、シール層２０３は対向面１２０の高さＨよりも大きく、スライドエレメント１０１に巻き付けられてテープ２０１の外形に沿う。
【００２３】
図７Ｂに示すように、一部の例では、第２シール層２０４がスライドエレメント１０１と第１シール層２０３との間に配置されて、テープ２０１、第１シール層２０３及び第２シール層２０４の３層を含む重合領域５００を形成する。第２シール層２０４は第１シール層２０３に重なり、第２シール層２０４がスライドエレメント１０１の対向面１２０の一部又は全部をカバーしスライドエレメント１０１に巻き付き上面１１０と連結するような構成となるとしてよい。一部実施例において、第２シール層２０４は樹脂層である。スライドエレメント１０１に対するシール層２０３、２０４の構成によって改善したシールがもたらされ得る。押出、積層、コーティング及び／又は他の任意の適切な方法によって１つ以上のシール層が形成されてもよい。
【００２４】
図８に示すように、例示的製造プロセスにおいて、テープ２０１の位置の近傍にスライドコア３０１が配置される。スライドコア３０１は平坦面を付与して、それぞれの頭部１０３の２つの突起部１０３ａ，１０３ｂの上面１０３ａ−１，１０３ｂ−１を成形するための平面状基準面を保証する。
【００２５】
スライドファスナーの構成要素は、以下に限定されないが、ナイロン、ポリプロピレン、不織ポリプロピレン、他のプラスチック材料、熱可塑性物質、金属材料、他の複合材料、綿、羊毛、合成織物その他の類似材料を含む材料から形成されてもよい。さらに、スライドファスナーの構成要素は、以下に限定されないが、ニカワ剤又は任意の適格な接着剤、フック・ループ式面ファスナー、超音波溶接、他の機械的又は化学的締結装置を含む適格な締結装置によって互いに付着されてもよい。
【００２６】
図面に図示又は上述した構成要素ばかりでなく、図示又は記載していない構成要素及びステップの異なる配列が可能である。同様に、一部の特徴及び部分組合せが有用であり、他の特徴及び部分組合せに関わらず使用可能である。本発明の事例は制限的目的ではなく例示的目的で記載しており、代替的な事例はこの特許の読者には明らかであろう。従って、本発明は上述又は図面に図示した事例に限定されず、以下の請求項の範囲を逸脱しなければ種々の事例及び修正が行い得る。
【符号の説明】
【００２７】
１０１  スライドエレメント
１０２  基部
１０３  頭部
１０３ａ、１０３ｂ  突起部
１０３ａ−１、１０３ｂ−１  上面
１０４  首部
１０５  肩部
１０６  突起部
１０７  凹部
１０８  貫通孔
１０９  拡大部分
１１０  上面
１２０  対向面
２０１  テープ
２０２  コード
２０３、２０４  シール層
３０１  スライドコア
４０１  前部
４０２  後部
４０３  上部
４０４  底部
５００  重合領域
ａ  頭部の最下面
ｂ  基部の最下面
ｆ  頭部の最前面
Ｃ  拡大部分の中心線
Ｄ１  第１垂直距離
Ｄ２  第２垂直距離
【図１Ａ】
0006450410.tif 000002
【図１Ｂ】
0006450410.tif 000003
【図２Ａ】
0006450410.tif 000004
【図２Ｂ】
0006450410.tif 000005
【図３Ａ】
0006450410.tif 000006
【図３Ｂ】
0006450410.tif 000007
【図４Ａ】
0006450410.tif 000008
【図４Ｂ】
0006450410.tif 000009
【図５Ａ】
0006450410.tif 000010
【図５Ｂ】
0006450410.tif 000011
【図５Ｃ】
0006450410.tif 000012
【図６】
0006450410.tif 000013
【図７Ａ】
0006450410.tif 000014
【図７Ｂ】
0006450410.tif 000015
【図８】
0006450410.tif 000016